【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
要求元からコンテンツの要求を受信する受信手段と、
前記受信手段が受信した要求に応じて前記要求元へコンテンツを送信する送信手段と、
前記送信手段がコンテンツを所定数送信している間に前記受信手段が要求を受信した場合、当該要求の要求元の識別情報をメモリに保持させ、前記送信手段が送信しているコンテンツの数が前記所定数未満になってから、前記メモリに保持させた識別情報に対応する要求元へ前記送信手段がコンテンツを送信するための制御を行う制御手段とを有することを特徴とする送信装置。
【請求項２】
前記制御手段は、前記送信手段がコンテンツを前記所定数送信している間に前記受信手段が要求を受信した場合、前記送信手段が送信しているコンテンツの数が前記所定数未満になる前に、前記要求の要求元へ前記送信手段がコンテンツを送信するためのＲＴＳＰセッションを確立することを特徴とする請求項１に記載の送信装置。
【請求項３】
前記制御手段は、前記受信手段が受信した要求に対応するコンテンツの種別と同じ種別のコンテンツが前記送信手段によって第１所定数送信されている場合、前記送信手段が送信している前記種別のコンテンツの数が前記第１所定数未満になってから、前記メモリに保持させた識別情報に対応する要求元へ前記送信手段が前記種別のコンテンツを送信するための制御を行うことを特徴とする請求項１又は２に記載の送信装置。
【請求項４】
前記受信手段は、要求元から第１種別のコンテンツと第２種別のコンテンツとの要求を受信し、
前記制御手段は、前記送信手段が前記第１種別のコンテンツを第１所定数送信しているか若しくは前記第２種別のコンテンツを第２所定数送信しているか又はその両方である間に前記受信手段が前記第１及び第２種別のコンテンツの要求を受信した場合、前記送信手段が送信している前記第１種別のコンテンツの数が前記第１所定数未満になり且つ前記送信手段が送信している前記第２種別のコンテンツの数が前記第２所定数未満になってから、前記メモリに保持させた識別情報に対応する要求元へ前記送信手段が前記第１及び第２種別のコンテンツを送信するための制御を行うことを特徴とする請求項１又は２に記載の送信装置。
【請求項５】
前記制御手段は、前記送信手段が第１符号化形式で符号化されたコンテンツを第３所定数送信している間に前記受信手段が前記第１符号化形式で符号化されたコンテンツの要求を受信した場合、前記第１符号化形式で符号化されたコンテンツの送信のうち少なくとも１つを第２符号化形式で符号化されたコンテンツの送信に切り替え、前記要求の要求元へ前記送信手段が前記第１符号化形式で符号化されたコンテンツを送信するための制御を行うことを特徴とする請求項１乃至４の何れか１項に記載の送信装置。
【請求項６】
前記送信手段がコンテンツを前記所定数送信している間に前記受信手段が複数の要求元から要求を受信した場合、前記複数の要求元の優先度を判定する判定手段を有し、
前記制御手段は、前記送信手段が送信しているコンテンツの数が前記所定数未満になってから、前記メモリに保持させた複数の識別情報に対応する複数の要求元のうち前記優先度に基づいて特定された要求元へ前記送信手段がコンテンツを送信するための制御を行うことを特徴とする請求項１乃至５の何れか１項に記載の送信装置。
【請求項７】
前記制御手段は、前記送信手段がコンテンツを前記所定数送信している間に前記受信手段が要求を受信してから第１所定時間以内に、前記送信手段が送信しているコンテンツの数が前記所定数未満にならない場合、前記送信手段による前記要求に応じたコンテンツの送信を行わない決定をすることを特徴とする請求項１乃至６の何れか１項に記載の送信装置。
【請求項８】
前記制御手段は、前記送信手段がコンテンツを送信するための制御として、前記メモリに保持させた識別情報に対応する要求元に対してコンテンツの送信が可能になったことを示す通知を行うことを特徴とする請求項１乃至７の何れか１項に記載の送信装置。
【請求項９】
前記制御手段は、前記送信手段がコンテンツを前記所定数送信している間に前記受信手段が受信した要求の送信元である第１及び第２要求元のうち、前記第１要求元に対して前記通知を行ってから第２所定時間以内に前記受信手段が前記第１要求元からの要求を受信しない場合、前記第２要求元に対して前記通知を行うことを特徴とする請求項８に記載の送信装置。
【請求項１０】
前記送信手段が送信しているコンテンツの数は、前記送信手段がコンテンツの送信に使用しているＲＴＳＰセッションの数であることを特徴とする請求項１乃至９の何れか１項に記載の送信装置。
【請求項１１】
前記送信手段が送信しているコンテンツの数は、前記送信手段がコンテンツを送信している送信先の数であることを特徴とする請求項１乃至９の何れか１項に記載の送信装置。
【請求項１２】
前記コンテンツの種別は、映像コンテンツ又は音声コンテンツを含むことを特徴とする請求項３又は４に記載の送信装置。
【請求項１３】
前記所定数は、前記送信手段が送信するコンテンツのビットレートに基づいて定まることを特徴とする請求項１乃至１２の何れか１項に記載の送信装置。
【請求項１４】
前記送信手段は、ＲＴＰプロトコルを用いたストリーム配信によって、前記受信手段が受信した要求に応じて要求元へコンテンツを送信することを特徴とする請求項１乃至１３の何れか１項に記載の送信装置。
【請求項１５】
要求元からコンテンツの要求を受信する受信工程と、
前記受信工程で受信した要求に応じて前記要求元へコンテンツを送信する送信工程と、
前記送信工程でコンテンツを所定数送信している間に前記受信工程で要求を受信した場合、当該要求の要求元の識別情報をメモリに保持させ、前記送信工程で送信しているコンテンツの数が前記所定数未満になってから、前記メモリに保持させた識別情報に対応する要求元へ前記送信工程でコンテンツを送信するための制御を行う制御工程とを有することを特徴とする送信方法。
【請求項１６】
コンピュータを、請求項１乃至１４の何れか１項に記載の送信装置として動作させるためのプログラム。
【請求項１７】
請求項１乃至１４の何れか１項に記載の送信装置と、要求元となる受信装置とを備えたことを特徴とする通信システム。
【手続補正２】
【補正対象書類名】明細書
【補正対象項目名】０００８
【補正方法】変更
【補正の内容】
【０００８】
しかし、実際にはサーバと接続していないクライアントはサーバの状況をリアルタイムには把握できない。このため、接続が可能か否かを確認するために、場合によっては何度も無駄に接続の試行を繰り返すケースや、或いは接続可能なタイミングを逃してしまうケースがある。
本発明は前述の問題点に鑑み、無駄に接続の試行を行うことを回避することを目的とする。
【手続補正３】
【補正対象書類名】明細書
【補正対象項目名】０００９
【補正方法】変更
【補正の内容】
【０００９】
本発明の送信装置は、要求元からコンテンツの要求を受信する受信手段と、前記受信手段が受信した要求に応じて前記要求元へコンテンツを送信する送信手段と、前記送信手段がコンテンツを所定数送信している間に前記受信手段が要求を受信した場合、当該要求の要求元の識別情報をメモリに保持させ、前記送信手段が送信しているコンテンツの数が前記所定数未満になってから、前記メモリに保持させた識別情報に対応する要求元へ前記送信手段がコンテンツを送信するための制御を行う制御手段とを有することを特徴とする。
【手続補正４】
【補正対象書類名】明細書
【補正対象項目名】００１０
【補正方法】変更
【補正の内容】
【００１０】
本発明によれば、ストリームの配信数に制限がある通信環境において、配信を拒否された受信装置が無駄に配信要求を繰り返すことを無くすことができる。